(57)【要約】【課題】  電子マネー情報を記憶した非接触型記憶媒体を用いて料金精算を行なう料金精算装置において、ユーザに対して課金がなされた場合に、料金の精算を行なわずに立ち去ることを抑制する技術を提供すること。【解決手段】  情報読み取り部を備え、所定の課金がなされ、電子マネー情報及びユーザを特定するためのユーザ特定情報を記憶した非接触型記憶媒体が情報読み取り部にかざされることにより、電子マネー情報が表わす電子マネーを減算することで課金に応じた料金の精算を行なう料金精算装置であり、ユーザにより情報読み取り部に非接触型記憶媒体がかざされると、かざされた非接触型記憶媒体からユーザを特定し、特定したユーザに対する課金を検知すると、情報読み取り部に非接触型記憶媒体をかざすように求める料金精算要請とユーザ特定情報とを、ユーザが非接触型記憶媒体を情報読み取り部にかざすまで報知させる。【選択図】        図１
2006065784.tif 000002
【特許請求の範囲】
【請求項１】
情報読み取り部を備え、所定の課金がなされ、電子マネー情報及びユーザを特定するためのユーザ特定情報を記憶した非接触型記憶媒体が前記情報読み取り部にかざされることにより、前記電子マネー情報が表わす電子マネーを減算することで前記課金に応じた料金の精算を行なう料金精算装置であって、
報知部と、
前記情報読み取り部および前記報知部を制御するシステム制御部と、
を備え、
前記システム制御部は、
前記ユーザにより前記情報読み取り部に前記非接触型記憶媒体がかざされると、かざされた前記非接触型記憶媒体から前記情報読み取り部を介して少なくとも前記ユーザ特定情報を取得し、
前記ユーザ特定情報に基づいて、前記ユーザを特定し、
特定した前記ユーザに対する前記課金を検知すると、前記報知部に、前記情報読み取り部に前記非接触型記憶媒体をかざすように求める料金精算要請と前記ユーザ特定情報とを、前記ユーザが前記非接触型記憶媒体を前記情報読み取り部にかざすまで報知させることを特徴とする料金精算装置。
【請求項２】
請求項１に記載の料金精算装置において、
前記システム制御部は、
前記ユーザに対する課金を検知した場合に、
前記報知部に、前記情報読み取り部に前記非接触型記憶媒体をかざすように求める前記料金精算要請と前記ユーザ特定情報と共に、前記課金に応じて精算すべき精算料金情報を報知させることを特徴とする料金精算装置。
【請求項３】
請求項１または請求項２に記載の料金精算装置において、
前記システム制御部は、
予め決められた所定の期間内に、前記ユーザにより前記情報読み取り部に前記非接触型記憶媒体がかざされなかった場合には、前記報知部に報知を終了させることを特徴とする料金精算装置。
【請求項４】
請求項１ないし請求項３のいずれかに記載の料金精算装置が、ネットワークを介して管理サーバと接続される料金精算システムであって、
前記料金精算装置において、
前記システム制御部は、
前記料金精算要請に対して前記ユーザが正当に料金精算したかどうかを表わすログを記憶し、
所定のタイミングで、記憶した前記ログを前記管理サーバに通知することを特徴とする料金精算システム。
【請求項５】
印刷部と情報読み取り部とを備え、前記印刷部で印刷された印刷物に基づいて課金がなされ、電子マネー情報及びユーザを特定するためのユーザ特定情報を記憶した非接触型記憶媒体が前記情報読み取り部にかざされることにより、前記電子マネー情報が表わす電子マネーを減算することで前記課金に応じた料金の精算を行う印刷料金精算装置であって、
報知部と、
前記情報読み取り部および前記報知部を制御するシステム制御部と、
を備え、
前記システム制御部は、
前記ユーザにより前記情報読み取り部に前記非接触型記憶媒体がかざされると、かざされた前記非接触型記憶媒体から前記情報読み取り部を介して少なくとも前記ユーザ特定情報を取得し、
前記ユーザ特定情報に基づいて、前記ユーザを特定し、
特定した前記ユーザが前記印刷部に印刷させた前記印刷物に基づく、前記ユーザに対する前記課金を検知すると、前記報知部に、前記情報読み取り部に前記非接触型記憶媒体をかざすように求める料金精算要請と前記ユーザ特定情報とを、前記ユーザが前記非接触型記憶媒体を前記情報読み取り部にかざすまで報知させることを特徴とする印刷料金精算装置。
【請求項６】
請求項５に記載の印刷料金精算装置において、
前記システム制御部は、
前記ユーザが前記印刷部に印刷させた前記印刷物に基づく、前記ユーザに対する前記課金を検知した場合に、
前記報知部に、前記情報読み取り部に前記非接触型記憶媒体をかざすように求める前記料金精算要請と前記ユーザ特定情報と共に、課金に応じて精算すべき精算料金情報を報知させることを特徴とする印刷料金精算装置。
【請求項７】
請求項５または請求項６に記載の印刷料金精算装置において、
前記システム制御部は、
予め決められた所定の期間内に、前記ユーザにより前記情報読み取り部に前記非接触型記憶媒体がかざされなかった場合には、前記報知部に報知を終了させることを特徴とする印刷料金精算装置。
【請求項８】
請求項５ないし請求項７のいずれかに記載の印刷料金精算装置において、
前記システム制御部は、
前記ユーザにより前記情報読み取り部に前記非接触型記憶媒体がかざされると、かざされた前記非接触型記憶媒体から前記情報読み取り部を介して、前記ユーザ特定情報と共に前記電子マネー情報を取得し、
前記ユーザ特定情報に基づいて、前記ユーザを特定し、
特定した前記ユーザの指示する印刷ジョブに基づいて、取得した前記電子マネー情報が表わす前記電子マネーを超えない範囲で、前記印刷部で印刷させ、その印刷物に基づいて前記ユーザに前記課金を行なうことを特徴とする印刷料金精算装置。
【請求項９】
請求項５ないし請求項８のいずれかに記載の印刷料金精算装置が、ネットワークを介して管理サーバと接続される印刷料金精算システムであって、
前記印刷料金精算装置において、
前記システム制御部は、
前記料金精算要請に対して前記ユーザが正当に料金精算したかどうかを表わすログを記憶し、
所定のタイミングで、記憶した前記ログを前記管理サーバに通知することを特徴とする印刷料金精算システム。
【請求項１０】
所定の課金がなされ、電子マネー情報及びユーザを特定するためのユーザ特定情報を記憶した非接触型記憶媒体が情報読み取り装置にかざされた場合に、前記電子マネー情報が表わす電子マネーを減算することで前記課金に応じた料金の精算を行なう料金精算方法であって、
（ａ）前記ユーザが前記情報読み取り装置に前記非接触型記憶媒体をかざすと、前記非接触型記憶媒体から前記情報読み取り装置を介して少なくとも前記ユーザ特定情報を取得する工程と、
（ｂ）前記ユーザ特定情報に基づいて、前記ユーザを特定する工程と、
（ｃ）特定した前記ユーザに対する前記課金を検知する工程と、
（ｄ）前記情報読み取り装置に前記非接触型記憶媒体をかざすように求める料金精算要請と、前記ユーザ特定情報と、を前記ユーザが前記非接触型記憶媒体を前記情報読み取り装置にかざすまで報知させる工程と、
を備えたことを特徴とする料金精算方法。
【請求項１１】
印刷装置で印刷された印刷物に基づいて課金がなされ、電子マネー情報及びユーザを特定するためのユーザ特定情報を記憶した非接触型記憶媒体が情報読み取り装置にかざされ、前記電子マネー情報が表わす電子マネーを減算することで前記課金に応じた料金精算を行なう印刷料金精算方法であって、
（ａ）前記ユーザが前記情報読み取り装置に前記非接触型記憶媒体をかざすと、前記非接触型記憶媒体から前記情報読み取り装置を介して少なくとも前記ユーザ特定情報を取得する工程と、
（ｂ）前記ユーザ特定情報に基づいて、前記ユーザを特定する工程と、
（ｃ）特定した前記ユーザが前記印刷装置に印刷させた前記印刷物に基づく、前記ユーザに対する前記課金を検知する工程と、
（ｄ）前記情報読み取り装置に前記非接触型記憶媒体をかざすように求める料金精算要請と、前記ユーザ特定情報と、を前記ユーザが前記非接触型記憶媒体を前記情報読み取り装置にかざすまで報知させる工程と、
を備えたことを特徴とする印刷料金精算方法。
【請求項１２】
所定の課金がなされ、電子マネー情報及びユーザを特定するためのユーザ特定情報を記憶した非接触型記憶媒体が情報読み取り装置にかざされた場合に、前記電子マネー情報が表わす電子マネーを減算することで前記課金に応じた料金の精算を行なうコンピュータプログラムであって、
（ａ）前記ユーザが前記情報読み取り装置に前記非接触型記憶媒体がかざすと、前記非接触型記憶媒体から前記情報読み取り装置を介して少なくとも前記ユーザ特定情報を取得する機能と、
（ｂ）前記ユーザ特定情報に基づいて、前記ユーザを特定する機能と、
（ｃ）特定した前記ユーザに対する前記課金を検知する機能と、
（ｄ）前記情報読み取り装置に前記非接触型記憶媒体をかざすように求める料金精算要請と、前記ユーザ特定情報と、を前記ユーザが前記非接触型記憶媒体を前記情報読み取り装置にかざすまで報知させる機能と、
をコンピュータによって実現させるためのコンピュータプログラム。
【請求項１３】
印刷装置で印刷された印刷物に基づいて課金がなされ、電子マネー情報及びユーザを特定するためのユーザ特定情報を記憶した非接触型記憶媒体が情報読み取り装置にかざされ、前記電子マネー情報が表わす電子マネーを減算することで前記課金に応じた料金精算を行なうコンピュータプログラムであって、
（ａ）前記ユーザが前記情報読み取り装置に前記非接触型記憶媒体をかざすと、前記非接触型記憶媒体から前記情報読み取り装置を介して少なくとも前記ユーザ特定情報を取得する機能と、
（ｂ）前記ユーザ特定情報に基づいて、前記ユーザを特定する機能と、
（ｃ）特定した前記ユーザが前記印刷装置に印刷させた前記印刷物に基づく、前記ユーザに対する前記課金を検知する機能と、
（ｄ）前記情報読み取り装置に前記非接触型記憶媒体をかざすように求める料金精算要請と、前記ユーザ特定情報と、を前記ユーザが前記非接触型記憶媒体を前記情報読み取り装置にかざすまで報知させる機能と、
をコンピュータによって実現させるためのコンピュータプログラム。
【請求項１４】
請求項１２または請求項１３に記載のコンピュータプログラムを記録したコンピュータ読み取り可能な記録媒体。
【発明の詳細な説明】
【技術分野】
【０００１】
本発明は、所定の課金に対して、非接触型記憶媒体を用いて料金精算する料金精算システムに関する。
【背景技術】
【０００２】
近年、ユーザに対して課金がなされた場合に、ユーザが、フェリカ（ＦｅｌｉＣａ：ソニー株式会社の登録商標）などの電子マネー情報を記憶した非接触型カードを用いて課金情報に応じた料金の精算を行なうための料金精算装置が普及しつつある。この料金精算装置は、電子マネー情報を読み取り可能なカードリーダに接続され、課金情報に応じた料金の精算を行なう場合に、ユーザにより上記非接触型カードが、カードリーダにかざされると、カードリーダを制御し、精算料金分を非接触型カードの電子マネー情報が表わす電子マネーから減算させることで、精算を行なう。
ところで、コピー機やプリンタ等の印刷装置と接続され、その印刷物の課金情報に応じた料金の精算を行なう印刷料金精算装置は、例えば、印刷面数などの印刷後に確定する印刷結果情報に基づいて課金がなされ、それに応じて料金精算を行う。そのため、この印刷料金精算装置において、上述のように、電子マネー情報を記憶した非接触型カードを用いて料金精算を行なうためには、印刷物を印刷した後に課金がなされ、それに応じて、ユーザに上記非接触型カードをカードリーダにかざしてもらう必要がある。
なお、下記特許文献１には、電子マネー情報を記憶したプリペードカードを用いた料金精算システムであって、精算料金分をプリペードカードの電子マネー情報から減算することで料金の精算が行なわれる技術が示されている。
【０００３】
【特許文献１】特開平２００１−３４８１６号公報
【発明の開示】
【発明が解決しようとする課題】
【０００４】
しかしながら、上述のような印刷料金精算装置において、ユーザが印刷物を印刷し、それに基づき課金がなされた場合に、印刷が既に完了しているのもかかわらず、そのユーザが上記非接触型カードをカードリーダにかざさず、すなわち、課金に応じた料金の精算を行なわずに立ち去る恐れがあった。
【０００５】
なお、上述の問題は、印刷料金精算装置において、電子マネー情報を記憶した非接触型カードを用いた場合に限られず、電子マネー情報を記憶した他の非接触型記憶媒体を用いた場合においても同様の問題である。この場合、非接触型記憶媒体としては、例えば、上述の非接触型カードと同様の機能を内蔵した携帯電話やＰＤＡなどがある。さらに、上述の問題は、印刷物の印刷後になされる課金に応じて料金精算を行なう印刷料金精算装置に限られず、ユーザに対してなされる所定の課金に応じて料金精算を行う他の料金精算装置においても同様の問題である。
【０００６】
本発明は、上記課題に鑑みてなされたもので、電子マネー情報を記憶した非接触型記憶媒体を用いて料金精算を行なう料金精算装置において、ユーザに対して課金がなされた場合に、料金の精算を行なわずに立ち去ることを抑制する技術を提供することを目的とする。
【課題を解決するための手段】
【０００７】
上記目的の少なくとも一部を達成するために、本発明の料金精算装置は、
情報読み取り部を備え、所定の課金がなされ、電子マネー情報及びユーザを特定するためのユーザ特定情報を記憶した非接触型記憶媒体が前記情報読み取り部にかざされることにより、前記電子マネー情報が表わす電子マネーを減算することで前記課金に応じた料金の精算を行なう料金精算装置であって、
報知部と、
前記情報読み取り部および前記報知部を制御するシステム制御部と、
を備え、
前記システム制御部は、
前記ユーザにより前記情報読み取り部に前記非接触型記憶媒体がかざされると、かざされた前記非接触型記憶媒体から前記情報読み取り部を介して少なくとも前記ユーザ特定情報を取得し、
前記ユーザ特定情報に基づいて、前記ユーザを特定し、
特定した前記ユーザに対する前記課金を検知すると、前記報知部に、前記情報読み取り部に前記非接触型記憶媒体をかざすように求める料金精算要請と前記ユーザ特定情報とを、前記ユーザが前記非接触型記憶媒体を前記情報読み取り部にかざすまで報知させることを要旨とする。
【０００８】
上記料金精算装置の構成によれば、ユーザが、料金精算要請とユーザ特定情報が報知されるので、課金に応じた料金の精算を行なわずに立ち去ってしまうと、そのユーザに対して課金が生じており、さらに、そのユーザが精算していないことが料金精算装置の周辺の他人に報知され、知れわたる。このことは、ユーザにとって好ましいことではないので、ユーザが課金に応じた料金の精算を行なわずに立ち去ることを抑制することができる。
【０００９】
上記料金精算装置において、
前記システム制御部は、
前記ユーザに対する課金を検知した場合に、
前記報知部に、前記情報読み取り部に前記非接触型記憶媒体をかざすように求める前記料金精算要請と前記ユーザ特定情報と共に、前記課金に応じて精算すべき精算料金情報を報知させるようにしてもよい。
【００１０】
このようにすれば、ユーザは、課金に対する精算料金をいくら払えばよいのかをいち早く知ることができる。
【００１１】
上記料金精算装置において、
前記システム制御部は、
予め決められた所定の期間内に、前記ユーザにより前記情報読み取り部に前記非接触型記憶媒体がかざされなかった場合には、前記報知部に報知を終了させるようにしてもよい。
【００１２】
このようにすれば、例えば、料金精算要請やユーザ特定情報が上記報知部に報知されている間は、上記料金精算装置が使用できないような構造となっている場合に、所定の期間が過ぎれば、他の人が料金精算装置を使用できるようになる。
【００１３】
上記目的の少なくとも一部を達成するために、本発明の料金精算システムは、
上記料金精算装置が、ネットワークを介して管理サーバと接続される料金精算システムであって、
前記料金精算装置において、
前記システム制御部は、
前記料金精算要請に対して前記ユーザが正当に料金精算したかどうかを表わすログを記憶し、
所定のタイミングで、記憶した前記ログを前記管理サーバに通知することを要旨とする。
【００１４】
上記料金精算システムの構成によれば、上記管理サーバの管理者によって、課金に応じた精算料金を精算していない上記ユーザに対して、未精算料金を請求することができる。
【００１５】
上記目的の少なくとも一部を達成するために、本発明の印刷料金精算装置は、
印刷部と情報読み取り部とを備え、前記印刷部で印刷された印刷物に基づいて課金がなされ、電子マネー情報及びユーザを特定するためのユーザ特定情報を記憶した非接触型記憶媒体が前記情報読み取り部にかざされることにより、前記電子マネー情報が表わす電子マネーを減算することで前記課金に応じた料金の精算を行う印刷料金精算装置であって、
報知部と、
前記情報読み取り部および前記報知部を制御するシステム制御部と、
を備え、
前記システム制御部は、
前記ユーザにより前記情報読み取り部に前記非接触型記憶媒体がかざされると、かざされた前記非接触型記憶媒体から前記情報読み取り部を介して少なくとも前記ユーザ特定情報を取得し、
前記ユーザ特定情報に基づいて、前記ユーザを特定し、
特定した前記ユーザが前記印刷部に印刷させた前記印刷物に基づく、前記ユーザに対する前記課金を検知すると、前記報知部に、前記情報読み取り部に前記非接触型記憶媒体をかざすように求める料金精算要請と前記ユーザ特定情報とを、前記ユーザが前記非接触型記憶媒体を前記情報読み取り部にかざすまで報知させることを要旨とする。
【００１６】
上記印刷料金精算装置の構成によれば、ユーザが、上記印刷物に基づく課金に応じた料金の精算を行なわずに立ち去ってしまうと、料金精算要請とユーザ特定情報が報知されるので、そのユーザに対して上記印刷物に基づく課金が生じており、さらに、そのユーザが精算していないことが料金精算装置の周辺の他人に報知され、知れわたる。このことは、ユーザにとって好ましいことではないので、ユーザが上記印刷物に基づく課金に応じた料金の精算を行なわずに立ち去ることを抑制することができる。
【００１７】
上記印刷料金精算装置において、
前記システム制御部は、
前記ユーザが前記印刷部に印刷させた前記印刷物に基づく、前記ユーザに対する前記課金を検知した場合に、
前記報知部に、前記情報読み取り部に前記非接触型記憶媒体をかざすように求める前記料金精算要請と前記ユーザ特定情報と共に、課金に応じて精算すべき精算料金情報を報知させるようにしてもよい。
【００１８】
このようにすれば、ユーザは、上記印刷物に基づく課金に対する精算料金をいくら払えばよいのかをいち早く知ることができる。
【００１９】
上記印刷料金精算装置において、
前記システム制御部は、
予め決められた所定の期間内に、前記ユーザにより前記情報読み取り部に前記非接触型記憶媒体がかざされなかった場合には、前記報知部に報知を終了させるようにしてもよい。
【００２０】
このようにすれば、例えば、料金精算要請やユーザ特定情報が上記報知部に報知されている間は、上記印刷料金精算装置が使用できないような構造となっている場合に、所定の期間が過ぎれば、他の人が印刷料金精算装置を使用できるようになる。
【００２１】
上記印刷料金精算装置において、
前記システム制御部は、
前記ユーザにより前記情報読み取り部に前記非接触型記憶媒体がかざされると、かざされた前記非接触型記憶媒体から前記情報読み取り部を介して、前記ユーザ特定情報と共に前記電子マネー情報を取得し、
前記ユーザ特定情報に基づいて、前記ユーザを特定し、
特定した前記ユーザの指示する印刷ジョブに基づいて、取得した前記電子マネー情報が表わす前記電子マネーを超えない範囲で、前記印刷部で印刷させ、その印刷物に基づいて前記ユーザに前記課金を行なうようにしてもよい。
【００２２】
このようにすれば、ユーザに対して、そのユーザの非接触型記憶媒体に記憶された電子マネーを超えない範囲で課金を行なうことができる。従って、ユーザが、料金を精算する際に、精算料金が不足することを抑制することができる。
【００２３】
上記目的の少なくとも一部を達成するために、本発明の印刷料金精算システムは、
印刷料金精算装置が、ネットワークを介して管理サーバと接続される印刷料金精算システムであって、
前記印刷料金精算装置において、
前記システム制御部は、
前記料金精算要請に対して前記ユーザが正当に料金精算したかどうかを表わすログを記憶し、
所定のタイミングで、記憶した前記ログを前記管理サーバに通知することを要旨とする。
【００２４】
上記印刷料金精算システムの構成によれば、上記管理サーバの管理者によって、上記印刷物に基づく課金に応じた精算料金を精算していない上記ユーザに対して、未精算料金を請求することができる。
【００２５】
なお、本発明は、上記した装置発明の態様に限ることなく、料金精算方法や印刷料金精算方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００２６】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００２７】
以下、本発明の実施の形態について、実施例に基づき次の順序で説明する。
Ａ．実施例：
Ａ１．システム概要：
Ａ２．各部の機能：
Ａ３．印刷および料金精算処理：
Ａ４．実施例の効果：
Ｂ．変形例：
【００２８】
Ａ．実施例：
Ａ１．システム概要：
図１は、本発明の一実施例としてのキャンパスプリントシステムＣＰＳの概要構成を示す説明図である。以下に、本実施例として、或る大学Ｍに構築されるキャンパスプリントシステムＣＰＳについて説明する。このキャンパスプリントシステムＣＰＳは、大学Ｍの学生（以下、単に学生と呼ぶ。）が、大学Ｍ内で印刷およびその精算を行なうための印刷および精算システムである。このキャンパスプリントシステムＣＰＳは、管理サーバＭＳＶと、大学Ｍ内に設置される複数の学生用のパーソナルコンピュータ（ＰＣ）（以下、クライアントＣＬと呼ぶ。）と、大学内に設置される複数のプリントシステムＰＳと、複数のチャージャＣＧとを備えている。これらのうち、管理サーバＭＳＶと、各クライアントＣＬと、各プリントシステムＰＳの各プリンタサーバＰＳＶとがローカルエリアネットワークＬＡＮ１を介して接続されている。なお、図１には、複数のクライアントＣＬのうち、クライアントＣＬ１とクライアントＣＬ２のみが示されている。また、図１には、複数のプリントシステムＰＳのうち、学生ラウンジにあるプリントシステムＰＳ１と、図書館にあるプリントシステムＰＳ２とが示されている。この他、プリントシステムＰＳは、学生が集まる他の施設等に設置されているが、本実施例では、省略している。さらに、図１には、複数あるチャージャＣＧのうち、チャージャＣＧ１のみが示されている。
【００２９】
上述のネットワークに接続されている各装置間（各プリンタサーバＰＳＶと各クライアントＣＬ間、若しくは、各プリンタサーバＰＳＶと管理サーバＳＶ間等）の通信は、ＴＣＰ／ＩＰをベースとしており、各装置には、それぞれ、ＩＰアドレスが予め固定で割り振られている。そして、発信元の装置から発信された通信データには、発信元の装置のＩＰアドレス（発信元ＩＰアドレス）と、送信先の装置のＩＰアドレス（送信先ＩＰアドレス）とが含まれており、この通信データは、送信先ＩＰアドレスに従って、そのＩＰアドレスを有する装置に送信される。このようにして、各装置間の通信は行なわれる。
【００３０】
Ａ２．各部の機能：
本発明の特徴部分である各プリントシステムＰＳは、それぞれ同様の構成となっており、プリンタサーバＰＳＶと、カードリーダＣＲと、タッチパネルＴＰと、プリンタＰＲＴとをそれぞれ備えている。また、カードリーダＣＲ、タッチパネルＴＰ、およびプリンタＰＲＴは、それぞれプリンタサーバＰＳＶと接続されている。
【００３１】
図２は、本実施例におけるプリントシステムＰＳ１および管理サーバＭＳＶの構成を示す説明図である。上述したように、各プリントシステムＰＳの構成は同様となっているので、代表してプリントシステムＰＳ１の各機能について説明する。
【００３２】
プリンタサーバＰＳＶ１は、図２に示すように、ＣＰＵ１００と、メモリ４００と、ネットワークＩ／Ｆ２００と、デバイスＩ／Ｆ３００とを備えている。
【００３３】
デバイスＩ／Ｆ３００は、タッチパネルＴＰ１、カードリーダＣＲ１、およびプリンタＰＲＴ１とのデバイスインタフェースであり、これらの機器と種々のデータのやりとりを行なう。
【００３４】
ネットワークＩ／Ｆ２００は、ネットワーク通信を行うための通信インタフェースであり、ローカルエリアネットワークＬＡＮ１を介して各クライアントＣＬ若しくは管理サーバＭＳＶとの通信を行う。
【００３５】
ＣＰＵ１００は、所定のメモリ（図示せず）から、所定のアプリケーションプログラムを読み出し実行することにより、図２に示すように、システム制御部１１０として機能する。
【００３６】
システム制御部１１０は、タッチパネルＴＰ１、カードリーダＣＲ１およびプリンタＰＲＴ１を制御し、後述の印刷および料金精算処理を行なう。この処理におけるシステム制御部１１０の各制御の詳細は、後述する。また、システム制御部１１０は、印刷ジョブ受信部１２０と精算結果送信部１３０とを備え、これらの制御を行なう。
【００３７】
印刷ジョブ受信部１２０は、各クライアントＣＬからの印刷ジョブを受信する。精算結果送信部１３０は、管理サーバＭＳＶに、後述する印刷料金に対する精算結果を表わす精算結果テーブルを送信する。
【００３８】
メモリ４００は、印刷料金算出用テーブル保存部４０５と、印刷料金情報保存部４１０と、カード情報保存部４２０と、精算結果テーブル保存部４３０と、印刷ジョブ保存部４４０とを備えている。
【００３９】
印刷料金算出用テーブル保存部４０５には、印刷料金算出用テーブルが予め保存してある。この印刷料金算出用テーブルは、印刷面数、用紙サイズ、およびカラーかモノクロかを表わす情報（以下、カラー／モノクロ情報と呼ぶ。）等に対応する印刷料金を表わすテーブルである。
【００４０】
印刷料金情報保存部４１０は、印刷結果に基づく、課金のための印刷料金を表わす印刷料金情報を保存する。カード情報保存部４２０は、非接触型電子マネーカードＥＣから取得された、学籍番号情報、氏名情報、および使用可能な電子マネーを表わす電子マネー情報を保存する。精算結果テーブル保存部４３０は、後述の精算結果テーブルを保存する。印刷ジョブ保存部４４０は、クライアントＣＬから送信されてくる印刷ジョブを保存する。
【００４１】
プリンタＰＲＴ１は、プリンタサーバＰＳＶ１から送信されてくる印刷ジョブを印刷する。また、プリンタＰＲＴ１は、印刷が正常に終了すると、その印刷における総印刷面数や、用紙サイズ、カラー／モノクロ情報などの印刷の結果得られる印刷結果情報をプリンタサーバＰＳＶ１に送信する。
【００４２】
タッチパネルＴＰ１は、印刷を行なう学生の学籍番号情報、氏名情報と共に印刷ジョブリストを表示したり、印刷後、学生に料金の精算要求を表わす表示を行なったりする。また、タッチパネルＴＰ１は、学生によって画面にタッチされることにより、印刷ジョブを選択し、印刷実行指示を受け付ける。これらの機能の詳細は、後述する。
【００４３】
図３は、本実施例における非接触型電子マネーカードＥＣおよびカードリーダＣＲ１の機能を示す説明図である。
【００４４】
本実施例における非接触型電子マネーカードＥＣは、大学Ｍから各学生に配布されている。この非接触型電子マネーカードＥＣは、電子回路（図示せず）と、メモリ（図示せず）とを備えている。このメモリには、所有する学生の学籍番号情報、氏名情報、および電子マネー情報が記憶されており、学籍番号情報および氏名情報は、予め記憶されている。このメモリにおける電子マネー情報は、所定のチャージャＣＧで、入金した金額に対応する価値の電子マネー分が加算されて記憶されたり、後述する印刷および料金精算処理でカードリーダＣＲ１にかざされると、所定の電子マネー分が減算されて記憶される。
【００４５】
カードリーダＣＲ１は、図３に示すように、非接触型電子マネーカードＥＣの情報を読み取るカード情報読み取り部５０を備えている。この情報読み取り部５０は、非接触型電子マネーカードＥＣがかざされると、その非接触型電子マネーカードＥＣに記憶された学籍番号情報、氏名情報、および電子マネー情報を読み取ることができる。この読み取り動作についての詳細は、後述する。
【００４６】
チャージャＣＧは、お金を入金することが可能となっており、入金されたお金に対応する価値の電子マネーを非接触型電子マネーカードＥＣに補充する。例えば、チャージャＣＧは学生により、チャージャＣＧに１０００円の入金があると、非接触型電子マネーカードＥＣに１０００円分の電子マネーを補充する。
【００４７】
図２に示すように、管理サーバＭＳＶは、ＣＰＵ８００と、メモリ９００と、ネットワークＩ／Ｆ７００とを備えている。
【００４８】
ネットワークＩ／Ｆ７００は、ネットワーク通信を行うための通信インタフェースであり、ローカルエリアネットワークＬＡＮ１を介して各クライアントＣＬ若しくは各プリンタサーバＰＳＶとの通信を行う。
【００４９】
ＣＰＵ８００は、所定のメモリ（図示せず）から、所定のアプリケーションプログラムを読み出し実行することにより、図２に示すように、管理制御部８１０として機能する。
【００５０】
管理制御部８１０は、各プリンタサーバＰＳＶより送信されてくる精算結果テーブルを受信し、それをメモリ９００が備える精算結果テーブル保存部９１０に保存する。
【００５１】
なお、プリンタサーバＰＳＶおよび管理サーバＳＶは、この他、コンピュータが備える種々の一般的な構成を備えるが、説明の便宜上省略されている。
【００５２】
Ａ３．印刷および料金精算処理：
本実施例のキャンパスプリントシステムＣＰＳでは、学生が、所定のクライアントＣＬにログインし、そのクライアントＣＬに予め登録されているプリンタサーバＰＳＶの中から所望するプリンタサーバＰＳＶを選択し、印刷ジョブを送信する。その後、学生は、送信先のプリンタサーバＰＳＶの設置されている場所まで行き、非接触型電子マネーカードＥＣをプリンタサーバＰＳＶに接続されるカードリーダＣＲにかざすことで自己の認証を行なう。そして、学生は、プリンタサーバＰＳＶに接続されるタッチパネルＴＰにおいて自分が送信した印刷ジョブのうち所望の印刷ジョブを選択し、印刷実行することで、選択した印刷ジョブに対応する印刷物をプリンタＰＲＴから得ることができるようになっている。その後、学生は、再度、非接触型電子マネーカードＥＣをカードリーダＣＲにかざすことで、取得した印刷物に対して料金精算を行う。このように学生が印刷および料金精算を行なう場合において、各装置の動作、機能について以下に説明する。
【００５３】
各クライアントＣＬには、予めローカルエリアネットワークＬＡＮ１に接続される複数のプリンタサーバＰＳＶが登録されている。各クライアントＣＬは、学生により、ログイン名としての学籍番号と、予め定められたパスワードが入力されると、その学生に対してログインを許可し、入力された学籍番号を学籍番号情報として保存する。そして、各クライアントＣＬは、ログイン許可後、管理サーバＭＳＶに問い合わせて、上記学籍番号に基づく学生の氏名情報を管理サーバＭＳＶから取得し、氏名情報として保存する機能を有している。続いて、各クライアントＣＬは、学生により印刷ジョブの送信先としてプリンタサーバＰＳＶが指定され、印刷ジョブの送信指示がなされると、その印刷ジョブのヘッダに、ログインした学生に対応する学籍番号情報および氏名情報を添付して、指定されたプリンタサーバＰＳＶに送信する。
【００５４】
一方、プリンタサーバＰＳＶ１は、各学生から送信されてくる印刷ジョブを受信し、印刷ジョブ保存部４４０に保存する。そして、プリンタサーバＰＳＶ１は、以下に示す印刷および料金精算処理を行なう。
【００５５】
図４および図５は、本実施例における印刷および料金精算処理を示すフローチャートである。
まず、図４に示すように、プリンタサーバＰＳＶ１のシステム制御部１１０は、所定の学生により非接触型電子マネーカードＥＣがカードリーダＣＲ１にかざされたかどうかを判断する（ステップＳ１０）。システム制御部１１０は、学生により非接触型電子マネーカードＥＣがカードリーダＣＲ１にかざされていない場合には（ステップＳ１０：ＮＯ）、待機する。
【００５６】
システム制御部１１０は、所定の学生（この学生を以下では、学生Ｘと呼ぶ。）により非接触型電子マネーカードＥＣがカードリーダＣＲ１にかざされた場合には（ステップＳ１０：ＹＥＳ）、その非接触型電子マネーカードＥＣに記憶された学生Ｘの電子マネー情報、学籍番号情報および氏名情報を、カードリーダＣＲ１を介して取得し、カード情報保存部４２０に保存する（ステップＳ２０）。具体的には、非接触型電子マネーカードＥＣがカードリーダＣＲ１のカード情報読み取り部５０（図３）にかざされると、カード情報読み取り部５０は特定の周波数の電波を発信する。一方、上述した非接触型電子マネーカードＥＣの電子回路は、この電波を受信し、これを駆動力として、メモリに記憶された学籍番号情報、氏名情報、および電子マネー情報をカードリーダＣＲ１へ送信する。他方、カード情報読み取り部５０は、非接触型電子マネーカードＥＣから送信された学籍番号情報、氏名情報、および電子マネー情報を受信し、さらに、これをプリンタサーバＰＳＶ１へ送信する。このようにして、システム制御部１１０は、非接触型電子マネーカードＥＣの各情報を、カードリーダＣＲ１を介して取得し、保存することができる。なお、このような非接触型電子マネーカードＥＣとしては、例えば、ＦｅｌｉＣａ（ソニー株式会社の登録商標）などがある。
【００５７】
続いて、システム制御部１１０は、印刷ジョブ保存部４４０に保存されている各印刷ジョブに添付されている学籍番号情報の中から、カード情報保存部４２０に保存した学生Ｘの学籍番号情報と一致する学籍番号情報を検索し、一致した学籍番号情報の添付されている印刷ジョブをリストアップする（ステップＳ２５）。なお、システム制御部１１０は、印刷ジョブ保存部４４０に保存されている各印刷ジョブに添付されている氏名情報の中から、カード情報保存部４２０に保存した学生Ｘの氏名情報と一致する氏名情報を検索し、一致した氏名情報の添付されている印刷ジョブをリストアップするようにしてもよい。
【００５８】
システム制御部１１０は、リストアップした各印刷ジョブに基づき印刷ジョブリストｒｓｔを作成する。この印刷ジョブリストｒｓｔは、各印刷ジョブに対応する、印刷予測金額欄と、印刷ジョブの選択可否を表わす選択可否欄とを備える。システム制御部１１０は、リストアップした各印刷ジョブにおいて、その印刷ジョブを印刷した場合に予測される総印刷面数や、学生により印刷ジョブ送信時に決められた用紙サイズおよびカラー／モノクロ情報などから印刷にかかる金額をそれぞれ予測し、それらを印刷予測金額として印刷ジョブリストｒｓｔの印刷予測金額欄にそれぞれ記載する。システム制御部１１０は、このようにして作成した印刷ジョブリストｒｓｔと、カード情報保存部４２０に保存した学生Ｘの学籍番号情報、氏名情報、および電子マネー情報とに基づいて、印刷ジョブリスト選択画面Ｑを作成し、以下の図６に示すように、タッチパネルＴＰ１に表示させる（ステップＳ３０）。
【００５９】
図６は、本実施例におけるタッチパネルＴＰ１に表示される印刷ジョブリスト選択画面Ｑを説明するための図である。この図６に示す印刷ジョブリスト選択画面Ｑは、上方に学籍番号情報、氏名情報および電子マネー情報を示し、略中央に印刷ジョブリストｒｓｔを示している。また、印刷ジョブリスト選択画面Ｑは、下方に印刷実行ボタンＢＴ１を備え、印刷ジョブリストｒｓｔと印刷実行ボタンＢＴ１との間に印刷予測金額合計欄を備えている。さらに、印刷ジョブリスト選択画面Ｑは、印刷ジョブリストｒｓｔの各印刷ジョブの表示部分を、ボタン（以下、印刷ジョブボタンＢＴ２と呼ぶ。）に形成している。印刷ジョブリストｒｓｔにおける選択可否欄は、「○」が表示されれば、対応する印刷ジョブが印刷予定の印刷ジョブとして選択されていることを示し、「−」が表示されれば、印刷予定の印刷ジョブとして選択されてないことを示す。この選択可否欄において、選択可否欄に「○」が表示されている状態で、学生Ｘにより印刷ジョブボタンＢＴ２が押されると、「○」に代えて「−」が表示され、選択可否欄に「−」が表示されている状態で、学生Ｘにより印刷ジョブボタンＢＴ２が押されると、「−」に代えて「○」が表示されるようになっている。また、印刷ジョブリストｒｓｔは、白抜きで表示される部分（以下、白抜き部分と呼ぶ。）と、グレイアウトで表示される部分（以下、グレイアウト部分と呼ぶ。）とに分けられる。白抜き部分の印刷ジョブは、学生Ｘがそれを選択できるようになっていることを示し、グレイアウト部分の印刷ジョブは、学生Ｘがそれを選択できないようになっていることを示す。デフォルトでは、白抜き部分の印刷ジョブは、すべて選択された状態（すなわち、選択可否欄がすべて「○」）となっている。白抜き部分の印刷ジョブの印刷予測金額の合計は、表示されている電子マネー情報が表わす電子マネー（以下、表示電子マネーと呼ぶ。）を超えないように設定されており、印刷予測金額合計欄には、白抜き部分の印刷ジョブ（すなわち、学生Ｘに選択されている印刷ジョブ）の印刷予測金額の合計（以下、印刷予測金額合計と呼ぶ。）が記載される。
【００６０】
ところで、学生Ｘにより白抜き部分の所定の印刷ジョブの選択が解除された場合には、その選択が解除された印刷ジョブの印刷予測金額相当分、印刷予測金額の合計が減少する。この場合に、減少した印刷予測金額合計と、グレイアウト部分における或る印刷ジョブの印刷予測金額との合計が、表示電子マネーを超えない場合には、そのグレイアウト部分の印刷ジョブのグレイアウト表示を解除し、学生Ｘがその印刷ジョブを選択可能となるようにする。例えば、図６に示すように、白抜き部分において、印刷ジョブＡ〜Ｄが印刷予定の印刷ジョブとして選択されている場合に、学生Ｘにより印刷ジョブＡおよび印刷ジョブＤの選択が解除されると、他の選択されている印刷ジョブの印刷予測金額合計が、印刷ジョブＢ，Ｃの印刷予測金額の合計である４６０円となる。この場合に、この印刷予測金額合計（４６０円）と、グレイアウト部分における印刷ジョブＥの印刷予測金額１１００円との合計は、１５６０円であり、これは、表示電子マネー（１６００円）を超えないので、印刷ジョブＥのグレイアウトを解除し、学生Ｘがその印刷ジョブを選択できるようにする。
【００６１】
続いて、システム制御部１１０は、学生Ｘにより上述のごとく印刷ジョブが選択され、印刷実行ボタンＢＴ１が押されたかどうかを判断する（ステップＳ４０）。印刷実行ボタンＢＴ１が押されていない場合には、待機する（ステップＳ４０：ＮＯ）。
【００６２】
システム制御部１１０は、学生Ｘにより上述のごとく印刷ジョブが選択され、印刷実行ボタンＢＴ１が押されると（ステップＳ４０：ＹＥＳ）、印刷予定の印刷ジョブとして選択されている、すなわち、選択可否欄（図６）に「○」が表示されている印刷ジョブをプリンタＰＲＴ１に送信し、印刷を実行させる（ステップＳ５０）。一方、プリンタＰＲＴ１は、印刷ジョブを受信すると、それを印刷する。そして、プリンタＰＲＴ１は、正常に印刷が完了した場合には、印刷結果情報をプリンタサーバＰＳＶ１に送信する。プリンタＰＲＴ１は、故障などで正常に印刷が完了しなかった場合には、プリンタサーバＰＳＶ１に印刷エラー情報を送信する。
【００６３】
システム制御部１１０は、印刷結果に基づき、課金のための印刷料金を算出し、印刷料金情報保存部４１０に保存する（ステップＳ６０）。具体的には、システム制御部１１０は、プリンタＰＲＴ１から印刷結果情報を受信した場合には、正常に印刷が完了したものとして、印刷料金算出用テーブル保存部４０５に保存してある印刷料金算出用テーブルと、受信した印刷結果情報とを対比させ、印刷料金を算出し、それを印刷料金情報として印刷料金情報保存部４１０に保存する。また、システム制御部１１０は、プリンタＰＲＴ１から印刷エラー情報を受信すると、正常に印刷が行なわれなかったものとして、印刷料金を０円とする印刷料金情報を印刷料金情報保存部４１０に保存する。
【００６４】
図７は、本実施例におけるタッチパネルＴＰ１に表示される料金精算要求画面Ｒを説明するための図である。
続いて、図５に示すように、システム制御部１１０は、印刷が正常に終了した場合には（ステップＳ７０：ＹＥＳ）、印刷料金情報保存部４１０に保存した印刷料金情報の表わす印刷料金に基づき、学生Ｘに対して料金精算要求を行なう（ステップＳ８０）。具体的には、システム制御部１１０は、印刷料金情報保存部４１０に保存した印刷料金情報を取得する。そして、システム制御部１１０は、学生Ｘに対して、取得した印刷料金情報が表わす印刷料金の精算を要求する料金精算要求画面Ｒを作成し、図７に示すように、それをタッチパネルＴＰ１に表示させる。この料金精算要求画面Ｒには、略中央に、精算すべき印刷料金（以下では、精算料金と呼ぶ。）が示されている。また、この料金精算要求画面Ｒには、その上方に、印刷ジョブリスト選択画面Ｑと同様に、学籍番号情報、氏名情報、および電子マネー情報が示されている。さらに、料金精算要求画面Ｒには、非接触型電子マネーカードＥＣをかざして料金精算を行なうことができるタイムリミットまでの残り時間も示されている。
【００６５】
システム制御部１１０は、タッチパネルＴＰ１に料金精算要求画面Ｒを表示後、１０分以内に学生Ｘの非接触型電子マネーカードＥＣがカードリーダＣＲ１にかざされたかどうかを、判断する（ステップＳ９０）。なお、非接触型電子マネーカードＥＣがかざされた場合に、その非接触型電子マネーカードＥＣが学生Ｘの非接触型電子マネーカードＥＣであるかどうかの判断は、かざされた非接触型電子マネーカードＥＣから学籍番号情報を取得し、取得した学籍番号情報が表わす学籍番号と、カード情報保存部４２０に保存された学籍番号情報が表わす学籍番号とを比較し、それらが一致した場合に、かざされた非接触型電子マネーカードＥＣが学生Ｘの非接触型電子マネーカードＥＣであると判断する。また、この処理では、１０分以内に限られず、管理者が定める任意の時間以内に、学生Ｘの非接触型電子マネーカードＥＣがカードリーダＣＲ１にかざされたかどうかを判断するようにしてもよい。
【００６６】
システム制御部１１０は、タッチパネルＴＰ１に料金精算要求画面Ｒを表示後、１０分以内に学生Ｘの非接触型電子マネーカードＥＣがカードリーダＣＲ１にかざされた場合には（ステップＳ９０：ＹＥＳ）、その際、非接触型電子マネーカードＥＣから、カードリーダＣＲ１を介して電子マネー情報を取得し、その電子マネー情報が表わす電子マネーと、印刷料金情報保存部４１０に保存された印刷料金情報が表わす印刷料金、すなわち精算料金とを比較し、取得した電子マネーが精算料金に対して不足していないかどうかを判断する（ステップＳ１００）。
【００６７】
システム制御部１１０は、非接触型電子マネーカードＥＣがカードリーダＣＲ１にかざされた際に、電子マネーが精算料金に対して不足していない場合には（ステップＳ１００：ＹＥＳ）、カードリーダＣＲ１を介して非接触型電子マネーカードＥＣの電子マネー情報が表わす電子マネーから精算料金分の電子マネーを減算させ、正常に精算（支払い）が終了したと判断する（ステップＳ１１０）。
【００６８】
図８は、本実施例における精算結果テーブルを示す説明図である。この図８に示す精算結果テーブルには、学籍番号情報、記載時点の日時を表わす日時情報、ステップＳ６０の処理で保存した印刷料金情報、および、未精算料金情報が記載されるようになっている。この精算結果テーブルの未精算料金欄において、「−」は、未精算料金がなく正常に精算がなされたことを示す。
【００６９】
システム制御部１１０は、正常に精算が終了したと判断すると（ステップＳ１１０）、続いて、図８に示す精算結果テーブルに、カード情報保存部４２０に保存された学生Ｘの学籍番号情報、その時点の日時を表わす日時情報、および、ステップＳ６０の処理で保存した印刷料金情報を記載し、未精算ではないので、未精算料金欄には、「−」を記載する（ステップＳ１７０）。
【００７０】
また、システム制御部１１０は、ステップＳ９０の処理で、１０分以内に学生Ｘの非接触型電子マネーカードＥＣがかざされなかったと判断した場合には（ステップＳ９０：ＮＯ）、印刷料金の精算がされなかった（すなわち、未精算）と判断し（ステップＳ１２０）、図８に示す精算結果テーブルに、カード情報保存部４２０に保存された学生Ｘの学籍番号情報、その時点の日時を表わす日時情報、および、ステップＳ６０の処理で保存した印刷料金情報を記載し、未精算料金欄に、印刷料金がすべて未精算であるので印刷料金と同額の料金を表わす料金情報を記載する（ステップＳ１７０）。
【００７１】
システム制御部１１０は、ステップＳ１００の処理で、非接触型電子マネーカードＥＣがカードリーダＣＲ１にかざされた場合に、電子マネーが精算料金に対して不足している場合には（ステップＳ１００：ＮＯ）、タッチパネルＴＰ１に電子マネーが不足していることを表わし、さらに、どのくらい不足しているかを表わした画面Ｓ（図示せず）を表示させる（ステップＳ１２３）。そして、システム制御部１１０は、カードリーダＣＲ１を介して非接触型電子マネーカードＥＣの電子マネー情報が表わす電子マネーからすべての電子マネーを減算させ（ステップＳ１２５）、その後、１０分以内に電子マネー不足が解消したかどうを監視する（ステップＳ１３０）。
【００７２】
一方、学生Ｘは、画面Ｓを見て、電子マネーが不足していることを知ると、プリンタサーバＰＳＶ１の管理者に不足分の電子マネーに相当するお金を渡して、管理者によって電子マネー不足を解消してもらう。なお、学生Ｘは、チャージャＣＧ１に行き、非接触型電子マネーカードＥＣに不足分の電子マネーを補充し、再度、カードリーダＣＲ１に非接触型電子マネーカードＥＣをかざすことで電子マネー不足を解消するようにしてもよい。
【００７３】
システム制御部１１０は、上述のように、学生Ｘにより１０分以内に電子マネー不足が解消した場合には（ステップＳ１３０：ＹＥＳ）、正常に精算が終了したと判断し（ステップＳ１４０）、図８に示す精算結果テーブルに、カード情報保存部４２０に保存された学生Ｘの学籍番号情報、その時点の日時を表わす日時情報、および、ステップＳ６０の処理で保存した印刷料金情報を記載し、未精算ではないので、未精算料金欄には、「−」を記載する（ステップＳ１７０）。
【００７４】
一方、システム制御部１１０は、ステップＳ１３０の処理で、１０分以内に電子マネー不足が解消しなかった場合には（ステップＳ１３０：ＮＯ）、印刷料金の全部が精算されず、電子マネー不足分に相当する未精算料金があると判断し（ステップＳ１５０）、図８に示す精算結果テーブルに、カード情報保存部４２０に保存された学生Ｘの学籍番号情報、その時点の日時を表わす日時情報、および、ステップＳ６０の処理で保存した印刷料金情報を記載し、未精算料金欄に、電子マネー不足分に相当する未精算料金を記載する（ステップＳ１７０）。
【００７５】
また、システム制御部１１０は、印刷が正常に終了しなかった場合には（ステップＳ７０：ＮＯ）、印刷料金が０円であるので、精算料金なしと判断し（ステップＳ１６０）、図８に示す精算結果テーブルに、カード情報保存部４２０に保存された学生Ｘの学籍番号情報、その時点の日時を表わす日時情報、および、ステップＳ６０の処理で保存した印刷料金を記載し、未精算ではないので未精算料金欄に、「−」を記載する（ステップＳ１７０）。
【００７６】
システム制御部１１０は、ステップＳ１７０の処理が終了すると、印刷および料金精算処理を終了する。
【００７７】
なお、システム制御部１１０は、上述のステップＳ８０の処理でタッチパネルＴＰ１に表示させた料金精算要求画面Ｒ（図７）は、次のステップＳ９０の処理で、学生Ｘの非接触型電子マネーカードＥＣがカードリーダＣＲ１にかざされるか、若しくは、学生Ｘの非接触型電子マネーカードＥＣがカードリーダＣＲ１にかざされずタイムリミット（１０分）が過ぎるまで、タッチパネルＴＰ１に表示させ続ける。そして、このように、料金精算要求画面Ｒを表示させ続けている間は、他の学生は、プリントシステムＰＳを使用することができないようになっている。
【００７８】
また、システム制御部１１０は、精算結果送信部１３０を制御して、予め決められた定期的なタイミングで、精算結果テーブル保存部４３０に保存された精算結果テーブルを管理サーバＭＳＶに送信させる。一方、管理サーバＭＳＶの管理制御部８１０は、プリンタサーバＰＳＶ１から送信されてくる精算結果テーブルを受信し、精算結果テーブル保存部９１０に保存する。
【００７９】
Ａ４．実施例の効果：
上記キャンパスプリントシステムＣＰＳでは、プリンタサーバＰＳＶ１は、印刷が正常に終了すると、プリンタサーバＰＳＶ１のタッチパネルＴＰ１に料金精算要求画面Ｒを、１０分以内であれば、印刷を行なった学生ＸがカードリーダＣＲ１に非接触型電子マネーカードＥＣをかざすまで表示させ続けている。このようにすれば、学生Ｘが、課金に応じた料金の精算を行なわずに立ち去ってしまうと、料金精算要求画面Ｒに料金精算要請と学籍番号情報および氏名情報が表示されるので、タッチパネルＴＰ１（プリンタサーバＰＳＶ１）の周辺にいる人に、学生Ｘに対して課金が生じており、さらに、その学生Ｘが印刷料金を精算していないことが報知される。このことは、学生Ｘにとって好ましくなく、学生Ｘが課金に応じた料金の精算を行なわずに立ち去ることを抑制することができる。
【００８０】
上記キャンパスプリントシステムＣＰＳでは、プリンタサーバＰＳＶ１のタッチパネルＴＰ１に料金精算要求画面Ｒを表示させ続けている間は、学生Ｘが非接触型電子マネーカードＥＣをカードリーダＣＲ１にかざさなければ、他の学生は、プリントシステムＰＳを使用することができないようになっている。このようにすれば、学生Ｘが課金に応じた料金の精算を行なわずに立ち去ってしまうと、他の学生がプリントシステムＰＳを使用することができない。このことは、学生Ｘにとって好ましいことではなく、その結果、学生Ｘが課金に応じた料金の精算を行なわずに立ち去ることを抑制することができる。
【００８１】
上記キャンパスプリントシステムＣＰＳにおいて、プリンタサーバＰＳＶ１は、学生ＸにタッチパネルＴＰ１に表示させる料金精算要求画面Ｒに、料金精算要請と共に、その精算料金を表示させている。このようにすれば、ユーザは、課金に対する精算料金をいくら払えばよいのかをいち早く知ることができる。
【００８２】
上記キャンパスプリントシステムＣＰＳでは、タッチパネルＴＰ１に表示される印刷ジョブリスト選択画面Ｑの印刷ジョブリストｒｓｔ（図６）において、学生Ｘが選択可能である白抜き部分の印刷ジョブの印刷予測金額の合計は、表示電子マネーを超えないように設定されている。このようにすれば、学生Ｘが印刷を実行した際に、その精算料金が学生Ｘの非接触型電子マネーカードＥＣに記憶された電子マネーを超える、すなわち、精算料金が不足することを抑制することができる。
【００８３】
上記キャンパスプリントシステムＣＰＳにおいて、プリンタサーバＰＳＶは、印刷に対する精算結果を表わす精算結果テーブルを、管理サーバＭＳＶに定期的に送信させている。このようにすれば、管理サーバＭＳＶを管理する管理者は、管理サーバＭＳＶの精算結果テーブル保存部９１０に保存されている精算結果テーブルに基づいて、未精算料金を発生させた学生の学籍番号を知ることができ、その学籍番号に相当する学生に対して、その後、未精算料金を請求することができる。また、管理サーバＭＳＶを管理する管理者は、管理サーバＭＳＶの精算結果テーブル保存部９１０に保存されている精算結果テーブルに基づいて、印刷料金がいくら発生したかを知ることができる。従って、例えば、各プリンタＰＲＴを所定の業者（以下、業者Ｚと呼ぶ。）が管理している場合などには、管理サーバＭＳＶの管理者は、精算結果テーブルに基づいて、業者Ｚに、プリンタ使用料を支払うことができる。
【００８４】
Ｂ．変形例：
なお、本発明では、上記した実施の形態に限られるものではなく、その要旨を逸脱しない範囲において種々の態様にて実施することが可能である。
【００８５】
Ｂ１．変形例１：
上記実施例では、上述の印刷および精算システムを、大学Ｍ内のキャンパスプリントシステムＣＰＳとして説明したが、本発明はこれに限られるものではない。上記印刷および精算システムを、企業などの組織や、民衆が使用する機関などで用いてもよい。このようにしても、本実施例と同様の効果を奏することができる。
【００８６】
Ｂ２．変形例２：
上記実施例のキャンパスプリントシステムＣＰＳにおいて、印刷に対する課金に応じて料金を精算するシステムとして説明したが、本発明はこれに限られるものではない。上記実施例のごとく、料金を精算する手法は、種々の後払いの料金精算システムに用いることができる。例えば、プリンタサーバＰＳＶと、発行物を発行する発行機（図示せず）が接続されたシステムであって、証明書等の所定の発行物の発行に基づく課金に応じて料金を精算するシステムに用いてもよい。また、プリンタサーバＰＳＶと、コピー機（図示せず）が接続されたシステムであって、その複写物に基づく課金に応じて料金を精算するシステムに用いてもよい。このようにしても、本実施例と同様の効果を奏することができる。
【００８７】
Ｂ３．変形例３：
上記実施例では、システム制御部１１０は、印刷物に対する料金の精算を学生Ｘに要求するため、タッチパネルＴＰ１に料金精算要求画面Ｒを表示させるようにしているが、本発明はこれに限られるものではない。例えば、プリンタサーバＰＳＶは、所定の音声を発生する音声発生部（図示せず）を備え、システム制御部１１０は、その音声発生部を制御して、音声で印刷物に対する料金の精算を学生Ｘに要求するようにしてもよい。この場合、音声発生部は、例えば、「学籍番号が１２３４３２１、氏名が山田太郎さん、印刷料金は、１５６０円になります。この料金を精算のため、非接触型電子マネーカードＥＣをカードリーダＣＲにかざしてください。」等の音声を繰り返し発声して、学生Ｘに料金精算を要求する。このようにしても、本実施例と同様の効果をそうすることができる。
【００８８】
Ｂ４．変形例４：
上記実施例では、学生を特定するための情報として、学生の学籍番号情報若しくは氏名情報を用いて説明したが、本発明はこれに限られるものではない。例えば、予め登録されたＩＤなどを用いてもよい。この場合、非接触型電子マネーカードＥＣには、上述の学籍番号情報、氏名情報の代わりにＩＤが登録されており、また、クライアントＣＬには、そのＩＤをログイン名としてログインする。一方、管理サーバＭＳＶでは、ＩＤと各学生とを紐付ける管理テーブルが備えられており、ＩＤがわかれば、そのＩＤに対応する学生を認知することができるようになっている。このようにしても、本実施例と同様の効果をそうすることができる。
【００８９】
Ｂ５．変形例５：
上記実施例では、非接触型電子マネーカードＥＣを用いて説明したが、本発明はこれに限られるものではない。非接触型電子マネーカードＥＣは、電子マネー情報および学生を特定するための情報（学籍番号情報等）を記憶することができる非接触型記憶媒体であればよく、例えば、上記実施例において、非接触型電子マネーカードＥＣの代わりに、ＦｅｌｉＣａ（ソニー株式会社の登録商標）機能を搭載した携帯電話、ＰＤＡなどを用いてもよい。このようにしても、本実施例と同様の効果をそうすることができる。
【００９０】
Ｂ６．変形例６：
上記実施例の印刷および料金精算処理において、システム制御部１１０は、料金精算要求画面Ｒ（図７）を、学生Ｘの非接触型電子マネーカードＥＣがカードリーダＣＲ１にかざされるか、若しくは、学生Ｘの非接触型電子マネーカードＥＣがカードリーダＣＲ１にかざされずタイムリミット（１０分）が過ぎるまで、タッチパネルＴＰ１に表示させ続けているが、本発明はこれに限られるものではない。システム制御部１１０は、料金精算要求画面Ｒを単純にタッチパネルＴＰ１に表示させ続けるのではなく、例えば、フラッシュさせたり、点滅させて表示させてもよい。このようにすれば、料金精算要求画面Ｒは他の人にも目立つので、学生Ｘに対して、より料金精算を促すことができる。
【００９１】
Ｂ７．変形例７：
上記実施例において、プリンタサーバＰＳＶおよび管理サーバＳＶの各部は、ソフトウェア的に構成されているものを、ハードウェア的に構成するようにしてもよいし、ハードウェア的に構成されているものを、ソフトウェア的に構成するようにしてもよい。
【図面の簡単な説明】
【００９２】
【図１】本発明の一実施例としてのキャンパスプリントシステムＣＰＳの概要構成を示す説明図である。
【図２】本実施例におけるプリントシステムＰＳ１および管理サーバＭＳＶの構成を示す説明図である。
【図３】本実施例における非接触型電子マネーカードＥＣおよびカードリーダＣＲ１の機能を示す説明図である。
【図４】本実施例における印刷および料金精算処理を示すフローチャートである。
【図５】本実施例における印刷および料金精算処理を示すフローチャートである。
【図６】本実施例におけるタッチパネルＴＰ１に表示される印刷ジョブリスト選択画面Ｑを説明するための図である。
【図７】本実施例におけるタッチパネルＴＰ１に表示される料金精算要求画面Ｒを説明するための図である。
【図８】本実施例における精算結果テーブルを示す説明図である。
【符号の説明】
【００９３】
１００...ＣＰＵ
１１０...システム制御部
１２０...印刷ジョブ受信部
１３０...精算結果送信部
２００...ネットワークＩ／Ｆ
３００...デバイスＩ／Ｆ
４００...メモリ
４０５...印刷料金算出用テーブル保存部
４１０...印刷料金情報保存部
４２０...カード情報保存部
４３０...精算結果テーブル保存部
４４０...印刷ジョブ保存部
７００...ネットワークＩ／Ｆ
８００...ＣＰＵ
８１０...管理制御部
９００...メモリ
９１０...精算結果テーブル保存部
ＰＲＴ...プリンタ
ＰＳＶ...プリンタサーバ
ＥＣ...非接触型電子マネーカード
ＣＧ...チャージャ
ＣＬ...クライアント（ＰＣ）
ＴＰ...タッチパネル
ＣＲ...カードリーダ
ＰＳ...プリントシステム
ＭＳＶ...管理サーバ
【図１】
2006065784.tif 000003
【図２】
2006065784.tif 000004
【図３】
2006065784.tif 000005
【図４】
2006065784.tif 000006
【図５】
2006065784.tif 000007
【図６】
2006065784.tif 000008
【図７】
2006065784.tif 000009
【図８】
2006065784.tif 000010